(57)【要約】【課題】  対物レンズ駆動装置の磁束密度分布を対称に近づけ、磁気回路の効率を高める。【解決手段】  対物レンズ駆動装置５０は、対物レンズ１と、この対物レンズをトラッキング方向に駆動するトラッキングコイル４と、対物レンズをフォーカシング方向に駆動するフォーカシングコイル３と、トラッキングコイルに対向して配置され永久磁石８が取り付けられたヨーク２０とを有する。ヨークは、底板部１１ｂと底板部の外縁部から底板部にほぼ直角に曲げられたアウターヨーク１１ａを有し、中央部に開口１５が形成された第１のヨーク１１と、底板部１２ｂと底板部の内縁部から底板部にほぼ直角に曲げられたインナーヨーク１１ｃとを有し、中央部に開口が形成された第２のヨークとを有する。【選択図】  図１
2006004484.tif 000002
【特許請求の範囲】
【請求項１】
対物レンズと、この対物レンズをトラッキング方向に駆動するトラッキングコイルと、前記対物レンズをフォーカシング方向に駆動するフォーカシングコイルと、トラッキングコイルに対向して配置され永久磁石が取り付けられたヨークとを有し、このヨークは第１のヨークと第２のヨークを有し、前記第１のヨークおよび第２のヨークはともに平行に形成された１対のヨーク部を有することを特徴とする対物レンズ駆動装置。
【請求項２】
前記第１のヨークは底板部を有するとともに中央部に開口が形成されており、前記第１のヨークのヨーク部は底板部の外縁部から底板部にほぼ直角に曲げられた形状のアウターヨークであり、前記第２のヨークは底板部を有するとともに中央部に開口が形成されており、前記第２のヨークのヨーク部は底板部の内縁部から底板部にほぼ直角に曲がられた形状のインナーヨークであり、前記第１のヨークと前記第２のヨークをアウターヨークとインナーヨークが直角になるように組み合わせたことを特徴とする請求項１に記載の対物レンズ駆動装置。
【請求項３】
前記第１のヨークと第２のヨークとを第１のヨークに形成した開口に前記インナーヨークを嵌合して組み立てていることを特徴とする請求項２に記載の対物レンズ駆動装置。
【請求項４】
前記第１のヨークにインナーヨークを形成し、前記第１のヨークと第２のヨークとで対物レンズを挟むように前記第１のヨークと第２のヨークを配置し、前記第１のヨークのインナーヨークと第２のヨークのインナーヨークとを接続したことを特徴とする請求項２に記載の対物レンズ駆動装置。
【請求項５】
対物レンズを光ディスクのトラッキング方向およびフォーカシング方向に駆動する対物レンズ駆動装置において、底板部とフォーカシング方向およびトラッキング方向に平行な平板部とを有し開口が形成された第１のヨークと、底板部とトラッキング方向に垂直な平板部とを有し開口が形成された第２のヨークとを備え、この第２のヨークの平板部は前記第２のヨークの底板部の外縁から折り曲げた形状に形成されており、前記第２のヨークの平板部を前記第１のヨークの開口部に隣接する切欠部に嵌合したことを特徴とする対物レンズ駆動装置。
【請求項６】
前記第１のヨークの底板部と前記第２のヨークの底板部を重ねて配置したことを特徴とする請求項５に記載の対物レンズ駆動装置。
【請求項７】
前記第２のヨークの底板部を前記第１のヨークの開口の内側に当接あるいは近接して配置したことを特徴とする請求項５に記載の対物レンズ駆動装置。
【請求項８】
対物レンズをフォーカシング方向とトラッキング方向に駆動する対物レンズ駆動装置において、底板部とフォーカシング方向およびトラッキング方向に平行なアウターヨークとフォーカシング方向に平行でトラッキング方向に垂直な第１のインナーヨークとを有し開口が形成された第１のヨークと、底板部とトラッキング方向に垂直な第２のインナーヨークとを有し開口が形成された第２のヨークとを備え、前記第１のインナーヨークと第２のインナーヨークとを接続したことを特徴とする対物レンズ駆動装置。
【請求項９】
対物レンズをフォーカシング方向とトラッキング方向に駆動する対物レンズ駆動装置において、フォーカシング方向およびトラッキング方向に平行な平板部と、トラッキング方向に垂直な平板部をそれぞれ1面だけ有するヨークを２個備え、この２個のヨークを前記対物レンズの光軸に対称に配置したことを特徴とする対物レンズ駆動装置。
【請求項１０】
光ディスクの情報を再生あるいは光ディスクへ情報を記録する光ディスク装置において、請求項１から９のいずれか１項に記載された対物レンズ駆動装置を有することを特徴とする光ディスク装置。
【請求項１１】
光ディスクの情報を再生あるいは光ディスクへ情報を記録する光ピックアップにおいて、請求項１から９のいずれか１項に記載された対物レンズ駆動装置を有することを特徴とする光ピックアップ。
【発明の詳細な説明】
【技術分野】
【０００１】
本発明は、光ディスクの記録面上に記録された情報を読み出しまたは情報を記録する光ディスク装置およびそれに用いる光ピックアップと対物レンズ駆動装置に関する。
【背景技術】
【０００２】
光ディスク装置では情報の記録および再生速度を高速化するために、光ディスクの回転速度を高速化する方法が用いられている。光ディスクが高速で回転するのに伴い、対物レンズ駆動装置を高速に回転する光ディスクに追従させるためには、フォーカシングコイルおよびトラッキングコイルで発生する駆動力を増大させることが必要である。
【０００３】
そこで、対物レンズ駆動装置の駆動力を増大させるために、例えば特許文献１に記載の光ディスク装置では、磁気ヨークから分岐した２つの分岐ヨークをフォーカスコイルの間に延出して立設している。これにより、コイル全長に対して有効な駆動力を発生するコイル部分の割合を高めて、磁気回路の効率を高めている。
【０００４】
【特許文献１】特開２００３−１６８２３０号公報（第９頁、図９）
【発明の開示】
【発明が解決しようとする課題】
【０００５】
上記特許文献１に記載の従来の光ディスク装置においては、分岐ヨークが磁気ヨークの底板部の内側に配置されているので、分岐ヨークを磁気ヨークの底板部から切り起こして製作する場合には、分岐ヨークの高さを高くすることができない。つまり、切り起こし部の製作においては、磁気回路の均一性を考慮して分岐ヨークの高さが均等になるように製作するから、分岐ヨークの高さは切り起こし部高さの１／２以下にならざるを得ない。この不具合を解消するためには、分岐ヨークになる底板部を伸ばして厚さを薄くし、分岐ヨークの高さを高くする。
【０００６】
しかしながら、これらの方法では分岐ヨークの高さが低くなると、磁束密度の分布が高さ方向に不均一になり、対物レンズ駆動装置を駆動する駆動力のばらつきが大きくなる。また、分岐ヨークが薄くなると、磁路の断面積が小さくなり、磁気回路の効率が低下するし、さらに複雑な加工工程も必要となる。その結果、いずれの方法においても、対物レンズ駆動装置の駆動力を増大できない。
【０００７】
これに対し、分岐ヨークを磁気ヨークの底板部の外縁から切り起こせば、分岐ヨークの高さおよび厚みを所定値に設定できる。しかしながら、対物レンズ駆動装置では対物レンズにレーザ光を導く必要があり、磁気ヨークの底板部に少なくとも対物レンズに導かれる光の光束以上の開口が必要である。開口から分岐ヨークまでの底板部の幅が制限されるので、磁路の断面積が低下する。
【０００８】
本発明は上記従来技術の不具合に鑑みなされたものであり、対物レンズ駆動装置の磁束密度分布を対称に近づけ、磁気回路の効率を高めることにある。本発明の他の目的は、光ピックアップまたは光ディスク装置が、磁束密度の対称性がよく磁気回路が高効率な対物レンズ駆動装置を用いて、高速に情報の記録および再生を可能にすることにある。
【課題を解決するための手段】
【０００９】
上記目的を達成するための本発明の特徴は、対物レンズと、この対物レンズをトラッキング方向に駆動するトラッキングコイルと、対物レンズをフォーカシング方向に駆動するフォーカシングコイルと、トラッキングコイルに対向して配置され永久磁石が取り付けられたヨークとを有し、このヨークは第１のヨークと第２のヨークを有し、第１のヨークおよび第２のヨークはともに平行に形成された１対のヨーク部を有するものである。
【００１０】
そしてこの特徴において、第１のヨークは底板部を有するとともに中央部に開口が形成されており、第１のヨークのヨーク部は底板部の外縁部から底板部にほぼ直角に曲げられた形状のアウターヨークであり、第２のヨークは底板部を有するとともに中央部に開口が形成されており、第２のヨークのヨーク部は底板部の内縁部から底板部にほぼ直角に曲がられた形状のインナーヨークであり、第１のヨークと第２のヨークをアウターヨークとインナーヨークが直角になるように組み合わせるのがよい。
【００１１】
また、第１のヨークと第２のヨークとを第１のヨークに形成した開口にインナーヨークを嵌合して組み立てているのが好ましく、第１のヨークにインナーヨークを形成し、第１のヨークと第２のヨークとで対物レンズを挟むように第１のヨークと第２のヨークを配置し、第１のヨークのインナーヨークと第２のヨークのインナーヨークとを接続してもよい。
【００１２】
上記目的を達成する本発明の他の特徴は、対物レンズを光ディスクのトラッキング方向およびフォーカシング方向に駆動する対物レンズ駆動装置において、底板部とフォーカシング方向およびトラッキング方向に平行な平板部とを有し開口が形成された第１のヨークと、底板部とトラッキング方向に垂直な平板部とを有し開口が形成された第２のヨークとを備え、この第２のヨークの平板部は第２のヨークの底板部の外縁から折り曲げた形状に形成されており、第２のヨークの平板部を第１のヨークの開口部に隣接する切欠部に嵌合したものである。そしてこの特徴において、第１のヨークの底板部と第２のヨークの底板部を重ねて配置してもよく、第２のヨークの底板部を第１のヨークの開口の内側に当接あるいは近接して配置してもよい。
【００１３】
上記目的を達成する本発明のさらに他の特徴は、対物レンズをフォーカシング方向とトラッキング方向に駆動する対物レンズ駆動装置において、底板部とフォーカシング方向およびトラッキング方向に平行なアウターヨークとフォーカシング方向に平行でトラッキング方向に垂直な第１のインナーヨークとを有し開口が形成された第１のヨークと、底板部とトラッキング方向に垂直な第２のインナーヨークとを有し開口が形成された第２のヨークとを備え、第１のインナーヨークと第２のインナーヨークとを接続したものである。
【００１４】
上記目的を達成する本発明のさらに他の特徴は、対物レンズをフォーカシング方向とトラッキング方向に駆動する対物レンズ駆動装置において、フォーカシング方向およびトラッキング方向に平行な平板部と、トラッキング方向に垂直な平板部をそれぞれ1面だけ有するヨークを２個備え、この２個のヨークを対物レンズの光軸に対称に配置したものである。
【００１５】
上記目的を達成する本発明のさらに他の特徴は、光ディスクの情報を再生あるいは光ディスクへ情報を記録する光ディスク装置または光ピックアップにおいて、上記特徴を有する対物レンズ駆動装置を備えることにある。
【発明の効果】
【００１６】
本発明によれば、対物レンズ駆動装置に用いるヨークの底部に第２のヨークを嵌合する穴部を設け、第２のヨークに分岐ヨークを形成したので、分岐ヨークの厚さと高さを所定値にすることができ、磁束密度分布の対称性を良くすることができるとともに、磁気回路の効率を向上できる。また、磁束密度分布の対称性と磁気回路の効率を向上した対物レンズ駆動装置を光ピックアップまたは光ディスク装置が備えるので、高速に情報を記録あるいは再生することができる。
【発明を実施するための最良の形態】
【００１７】
以下、本発明に係る光ディスク装置およびそれに用いられる対物レンズ駆動装置のいくつかの実施例を、図面を用いて説明する。
【実施例１】
【００１８】
図３に、本発明に係る光ディスク装置１００の一実施例のブロック図を示す。光ディスク装置１００は、光ディスク１０１を回転させるスピンドルモータ１２０と、光ディスク１０１から情報を読み出しまたは光ディスクに情報を書き込む光ピックアップ１１０とを備える。光ピックアップは、詳細を後述する対物レンズ駆動装置と、レーザ発光素子等の光学部品を有する。光ピックアップ１１０とスピンドルモータ１２０とは、コントローラ１３０により制御される。
【００１９】
コントローラ１３０には、ディスク回転制御回路１３１が接続されている。コントローラ１３０からの指令を受けて、ディスク回転制御回路１３１は光ディスク１０１を搭載したスピンドルモータ１２０を回転駆動する。コントローラ１３０には、送り制御回路１３２も接続されている。送り制御回路１３２は、コントローラ１３０からの指令を受けて、光ピックアップ１１０を光ディスク１０１の半径方向に移動させる。
【００２０】
光ピックアップ１１０に搭載されたレーザ発光素子には、発光素子駆動回路１３３が接続されている。コントローラ１３０から発光素子駆動回路１３３に駆動信号が出力されると、レーザ発光素子はレーザ光を発光する。光ピックアップ１１０が検出した検出信号１３４は、サーボ信号検出回路１３５および再生信号検出回路に送信される。サーボ信号検出回路１３５に送られた検出信号１３４からサーボ信号が生成されて、アクチュエータ駆動回路１３６に送信される。
【００２１】
アクチュエータ駆動回路１３６は、光ピックアップ１１０に対物レンズの駆動信号を入力し、対物レンズを位置決め制御する。一方、再生信号検出回路１３７に入力された検出信号１３４から再生信号が生成され、光ディスク１０１の情報を再生するか、光ディスク１０１に情報を記録する。
【００２２】
この図３で示した光ピックアップ１１０が備える対物レンズ駆動装置５０の詳細を、図1および図２を用いて説明する。以下の図においては、光ディスク上の記録面に光を集光する対物レンズ１を光ディスク面に接近または離遠させる方向（フォーカシング方向）がｚ方向であり、光ディスクの半径方向（トラッキング方向）がｙ方向、ｙ方向とｚ方向の双方に直交する方向がｘ方向である。
【００２３】
図１は、対物レンズ駆動装置５０の一実施例の分解斜視図であり、図２は図１に示した対物レンズ駆動装置５０が有するヨーク２０の組み立て斜視図である。図１において、ｘ軸の方向は図示しない光ディスクの接線方向、ｙ軸の方向は光ディスクの半径方向であるトラッキング方向、ｚ軸の方向は対物レンズ１の光軸方向であるフォーカシング方向である。
【００２４】
対物レンズ駆動装置５０は、概略四角柱状のレンズホルダ２と、このレンズホルダ２と支持部材６を介して接続された板状の固定部７とを有している。レンズホルダ２の内側中央部には対物レンズ１が取り付けられている。この対物レンズ１のｙ方向左右両側には、フォーカシングコイル３が配置され、レンズホルダ２に取り付けられている。レンズホルダ２のｘ方向に対向する２つの外側面には、それぞれ２個のトラッキングコイル４がｙ方向に並べて取り付けられている。したがって、トラッキングコイル４は、４つのコイル部に分けられる。
【００２５】
支持部材６は、左右に２本ずつ設けられ、導電性を有するワイヤ状の部材である。支持部材６の一端は固定部７に固定され、他端はレンズホルダ２に固定されている。４本の支持部材６は、フォーカシングコイル３とトラッキングコイル４に電流を供給する。対物レンズ１と、レンズホルダ２と、フォーカシングコイル３と、トラッキングコイル４が可動部を形成する。
【００２６】
レンズホルダ２の内部及び底部、周囲部には、永久磁石が取り付けられたヨーク２０が配置されている。なお、レンズホルダ２の上部に、ヨーク２０と係合する上ヨークを配置してもよい。上ヨークを設けると、磁気回路の効率が向上する。ヨーク２０は、ともに磁性体である第１のヨークおよびこの第１のヨークに嵌合する第２のヨーク１２を有する。第１のヨーク１１の底板部１１ｂには、嵌合用の切欠き１６が形成された開口１５が形成されている。底板部１１ｂを形成する対向する２辺の外周側からアウターヨーク１１ａが折り曲げて形成されている。アウターヨーク１１ａの内面側には、永久磁石８が対向して取り付けられている。この永久磁石８の磁化方向は、ｘ方向である。
【００２７】
第１のヨーク１１に嵌合する第２のヨーク１２は、底板部１２ｂに対物レンズ１にレーザ光を導く開口１５ｂが形成されており、対向する２辺の外周側からインナーヨーク１２ｃが折り曲げて形成されている。インナーヨーク１２ｃは、トラッキング方向に垂直な平板である。第１のヨーク１１はトラッキングコイル４に対向して配置され、第２のヨーク１２はフォーカシングコイル３が形成する空孔１７に貫挿される。
【００２８】
第１のヨーク１１と第２のヨーク１２とは、それぞれの底板部１１ｂ、１２ｂを重ねて配置されている。第２のヨーク１２を第１のヨーク１１にインナーヨーク部１２ｃで嵌合したので、永久磁石８からの磁束は、第２のヨーク１２のインナーヨーク１２ｃから底板部１２ｂへ、次いで第１のヨーク１１の底板部１１ｂ、アウターヨーク１１ａへと導かれ、磁気回路が形成される。
【００２９】
本実施例によれば、第２のヨーク１２のインナーヨーク１２ｃを、第２のヨーク１２の底板部１２ｂの外縁から折り曲げて形成することができるので、底板部１２ｂおよびインナーヨーク１２ｃが一体となったヨーク素材には寸法上の制限がなくなる。したがって、インナーヨーク１２ｃの高さと厚みを、所定値に設定できる。
【００３０】
インナーヨーク１２ｃの高さを永久磁石８の高さとほぼ同じにすることができるので、永久磁石８からの磁束がインナーヨーク１２ｃに向かって均一に広がり、フォーカシングコイル３およびトラッキングコイル４に作用する高さ方向（ｚ方向）の磁束密度の分布の対称性が向上する。また、対物レンズ１がフォーカシング方向（ｚ方向）に移動しても、フォーカシングコイル３およびトラッキングコイル４で発生する駆動力の大きさが変化するのを抑制できる。
【００３１】
第１のヨーク１１および第２のヨーク１２の底板部１１ｂ、１２ｂには、対物レンズ１へレーザ光を導く開口１５、１５ｂが形成されているので、インナーヨーク１２ｃを、開口１５の縁から第１のヨークの外縁までの間にしか配置できない。しかしながら、第１のヨーク１１の底板部１１ｂは、トラッキング方向（ｙ方向）には制限がないので、自由に広げることができる。本実施例によれば、第１のヨーク１１と第２のヨーク１２を重ねているので、インナーヨーク１２ｃに接続される磁路の断面積を拡大することができ、磁気回路の効率が向上する。
【００３２】
第１のヨーク１１と第２のヨーク１２の双方とも、１枚の板材の中央部にレーザー光用の開口１５、１５ｂをプレス等で打ち抜いて形成する。その後、対向する２辺に形成した折り曲げ部を折り曲げてインナーヨーク１２ｃまたはアウターヨーク１１ａを形成すればよく、加工が容易である。また、各底板部１１ｂ、１２ｂを平面的に接続するので組み立て精度も良好である。第１のヨーク１１の底板部１１ｂの開口１５に、第２のヨーク１２のインナーヨーク１２ｃが嵌合する切り欠き部１６部を形成したので、第２のヨーク１２のｘ方向とｙ方向の位置決めが容易になる。
【００３３】
なお、本実施例では第２のヨーク１２を第１のヨーク１１の下側から嵌合しているが、第２のヨーク１２を第１のヨーク１１の上側から嵌め込むようにしてもよい。第１のヨーク１１と第２のヨーク１２は磁気的に接続していれば良いので、必ずしも全面が当接する必要はなく、近接してもよい。ただし、全面が当接していれば当然ながら、磁気回路の信頼性は向上する。
【００３４】
本実施例においては第２のヨーク１２の板厚と第１のヨーク１１の板厚を作業性を考慮して同一としている。しかしながら、第２のヨークの板厚を第１のヨーク１１の板厚よりも薄くすれば、インナーヨーク１２ｃの板厚が薄くなり、レンズホルダ２のトラッキング方向の寸法が小さくなる。その場合、対物レンズ駆動装置を小型化できる。本実施例の対物レンズ駆動装置を用いれば、フォーカシングコイルおよびトラッキングコイルで発生する駆動力が増大するので、高速に回転する光ディスクに容易に追従できる。したがって、光ディスク装置が、高速に情報の記録および再生できる。
【実施例２】
【００３５】
本発明に係るヨーク２０の他の実施例を、図４、図５を用いて説明する。図４は、ヨーク２０の分解斜視図であり、図５はその組み立て斜視図である。本実施例では、図１に示した実施例と異なり、アウターヨーク２１ａを有する第１のヨークの開口２５の面積を大にして、第２のヨーク２２の底面部２２ｂをこの開口２５に嵌合させている。それに伴い、第２のヨーク２２が第１のヨーク２１の開口２５から抜け出るのを防止するために、第１のヨーク２１の開口２５に形成した切欠き部２６のｘ方向幅を、インナーヨーク２２ｃのｘ方向の幅よりも狭くしている。
【００３６】
つまり、インナーヨーク２２ｃの下部に、角状に突出する部分を形成し、この突出した部分を第１のヨーク２１の底板部２１ｂに合わせて、第１のヨーク２１と第２のヨーク２２の高さを位置決めする。第２のヨーク２２では、第２のヨーク２２の底板部２２ｂを第１のヨーク２１の底板部２１ｂの開口の内側に当接あるいは近接させるだけで、ｘ方向およびｙ方向について容易に位置決めできる。
【００３７】
本実施例によれば、第１のヨーク２１の底板部２１ｂに形成した開口２５の内側に第２のヨーク２２の底板部２２ｂを配置し、第１のヨーク２１の底板部２１ｂと第２のヨーク２２の底板部２２ｂの高さをそろえているので、インナーヨーク２２ｃに接続される磁路が、対物レンズ１を駆動するのに必要な断面積を確保できる。したがって、対物レンズ駆動装置を薄型化できる。
【実施例３】
【００３８】
本発明に係るヨークのさらに他の実施例を、図６ないし図８を用いて説明する。図６は対物レンズ駆動装置５０の分解斜視図であり、図７および図８はヨークの分解斜視図である。これらの図において、ヨークが２個のヨーク部材で構成されているのは上記実施例と同じであるが、ヨークを組合わせる方向が上記各実施例と異なっている。
【００３９】
ヨーク５０は、下ヨーク３１と上ヨーク３２とを有している。下ヨーク３１はほぼ実施例１の記載した第１のヨーク１１と同じであるが、第１のインナーヨーク３１ｃもこの下ヨーク３１に形成されている。この第１のインナーヨーク３１ｃは、底板部３１ｂに開口３５を形成するときに形成するもので、底板部３１ｂの一部をアウターヨーク３１ａと同じ向きに折り曲げて形成する。
【００４０】
上ヨークは３２は下ヨーク３１と底板部３２ｂ形状がほぼ同じであるが、下ヨーク３１に形成されているアウターヨークは形成されていない。ただし、底板部３２ｂに開口３５ｂを形成するときに、第２のインナーヨーク３２ｃを底板部３２ｂから、図では、下向きに折り曲げて形成する。第１のインナーヨーク３１ｃと第２のインナーヨーク３２ｃとは、ほぼ対応する位置に形成され、これらが協働でインナーヨークとして作用する。上ヨーク３２の底板部３２ｂは、レンズホルダ２の上側に配置される。
【００４１】
第１のインナーヨーク３１ｃと第２のインナーヨーク３２ｃとは、底板部３１ｂ、３２ｂから折り曲げて形成されるので、各インナーヨーク３１ｃ、３２ｃの高さには制限がある。そこで、下ヨーク３１と上ヨーク３２を上下に配置し、各インナーヨーク３１ｃ、３２ｃを当接させてインナーヨークに求められ長さを確保している。これにより、磁束密度分布が上下対称に近い磁気回路となり、駆動力の大きさが変化するのを抑制できる。
【００４２】
第１のインナーヨーク３１ｃと第２のインナーヨーク３２ｃの当接位置を、下ヨーク３１の底板部３１ｂと上ヨーク３２の底板部３２ｂのほぼ中央とした。これにより、永久磁石８からの磁束が第１、第２のインナーヨーク３１ｃ、３２ｃにほぼ均等に流れ、磁束密度分布がより一層上下対称に近づく。第１、第２のインナーヨーク３１ｃ、３２ｃをトラッキング方向の内側から折り曲げているので、下ヨーク３１の底板部３１ｂと上ヨーク３２の上板部３２ｂの幅を、トラッキング方向の外側に容易に広げることができ、磁路に要する幅を確保でき、磁気回路の効率が向上する。
【００４３】
第１、第２のインナーヨーク３１ｃ、３２ｃをより確実に当接させるために、当接部をインロー形状とした例を、図７に示す。第１のインナーヨーク３１ｃには、段差部３１ｄが形成されており、第２のインナーヨーク３２ｃにはこの段差部３１ｄに対応する逆向きの段差部３２ｅが形成されている。下ヨーク３１と上ヨーク３２とを、第１のインナーヨーク３１ｃの段差部３１ｄと第２のインナーヨーク３２ｃの段差部３２ｅが形成する平面で当接させる。したがって、下ヨーク３１と上ヨーク３２の位置決めが容易となり、組立性が向上する。
【００４４】
ヨークのさらに他の実施例を、図８に分解斜視図で示す。本実施例では、ヨーク４２を同一形状の左右２個のヨーク４１で形成している。ヨーク４１を互い違いに組み合わせることにより、１対の対向平面を形成するアウターヨーク４１ａと、一対の対向平面を形成するインナーヨーク４１ｃが形成される。アウターヨーク４１ａは、フォーカシング方向およびトラッキング方向に平行な平板である。インナーヨーク４１ｃは、トラッキング方向に垂直な平板である。ヨーク４１の底板部４１ｂには、互いに組み合わされる凸部４１ｄと凹部４１ｅを形成した。各ヨーク４１の凸部４１ｄと凹部４１ｅを組み合わせ、各ヨーク４１を対物レンズの光軸に対して回転対称に配置して磁気回路を構成する。
【００４５】
本実施例によれば、開口４５を形成するために底板部４１ｂの対向する２辺の幅の制限も、この開口４５から切り出すインナーヨークの制限もなくなる。すなわち、１個のヨーク４１についてインナーヨーク４１ｃを１面だけ形成すればよいので、インナーヨーク４１ｃを底板部４１ｂの内側から立ち上げても、その高さと厚みに制限を受けることが無い。その結果、インナーヨーク４１ｃの高さを、アウターヨーク４１ａと同程度の高さま延ばすことができ、高さ方向（ｚ方向）の磁束密度分布を対称にできる。これにより、対物レンズ駆動装置における駆動力の大きさの変化を抑制できる。
【００４６】
本実施例によれば、インナーヨーク４１ｃを底板部４１ｂの内側から立ち上げているので、底板部４１ｂの幅をトラッキング方向の外側に容易に延ばすことができ、磁路の幅を確保して磁気回路の効率を高めることができる。また各ヨーク４１の凸部４１ｄと凹部４１ｅを組み合わるだけで、２個のヨーク４１を容易に位置決めでき、組立性が向上する。２個のヨーク４１を回転対称に配置したので、同一のヨーク４１を用いて、ヨーク４２を形成でき、部品の種類の増加を生じない。
【図面の簡単な説明】
【００４７】
【図１】本発明に係る対物レンズ駆動装置の一実施例の分解斜視図である。
【図２】図１に示した対物レンズ駆動装置に用いるヨーク部の斜視図である。
【図３】本発明に係る光ディスク装置の一実施例のブロック図である。
【図４】本発明のに係るヨーク部の他の実施例の分解斜視図である。
【図５】図４に示したヨーク部の組み立て斜視図である。
【図６】本発明に係る対物レンズ駆動装置の他の実施例の分解斜視図である。
【図７】図６に示したヨーク部の変形例の分解斜視図である。
【図８】本発明に係るヨーク部のさらに他の実施例の分解斜視図である。
【符号の説明】
【００４８】
１…対物レンズ、２…レンズホルダ、３…フォーカシングコイル、４…トラッキングコイル、６…支持部材、７…固定部、８…永久磁石、１１…第１のヨーク、１１ａ…アウターヨーク、１１ｂ…底板部、１２…第２のヨーク、１２ｂ…底板部、１２ｃ…インナーヨーク、１５…開口、１６…切欠き部、２０…ヨーク（組立体）、２１…第１のヨーク、２１ａ…アウターヨーク、２１ｂ…底板部、２２…第２のヨーク、２２ｂ…底板部、２２ｃ…インナーヨーク、２３…ヨーク（組立体）、２５…開口、２６…切欠き部、３１…下ヨーク（第１のヨーク）、３１ａ…アウターヨーク、３１ｂ…底板部、３１ｃ…第２のインナーヨーク、３１ｄ…段差部、３２…上ヨーク（第２のヨーク）、３２ｂ…底板部、３２ｃ…第２のインナーヨーク、３２ｅ…段差部、３５、３５ｂ…開口、４１…ヨーク、４１ａ…アウターヨーク、４１ｂ…底板部、４１ｄ…凸部、４１ｅ…凹部、４２…ヨーク（組立体）、４１ｃ…インナーヨーク、２３…ヨーク（組立体）、２５…開口、１００…光ディスク装置、１０１…光ディスク、１１０…光ピックアップ。
【図１】
2006004484.tif 000003
【図２】
2006004484.tif 000004
【図３】
2006004484.tif 000005
【図４】
2006004484.tif 000006
【図５】
2006004484.tif 000007
【図６】
2006004484.tif 000008
【図７】
2006004484.tif 000009
【図８】
2006004484.tif 000010